(57)【要約】【課題】フィルタに付着した塵埃の除去を可能とし、フィルタの劣化を抑制することができる電子機器を提供することを目的とする。【解決手段】電子機器の外装を構成する筐体１と、筐体１に設置される開口部（吸気口２）と、開口部を介して、正回転動作により外気を筐体１内部に吸入し、逆回転動作により筐体１内部の空気を電子機器の外部へ排気するファン（吸気ファン１２０）と、開口部とファンとの間に配置され、塵埃の筐体１内部への侵入を防ぐフィルタ１２１と、フィルタ１２１を保持するフィルタ保持部材１２２と、フィルタ保持部材１２２を可動させる可動部（振動素子１２３）とを備え、可動部は、ファンの逆回転動作に連動してフィルタ保持部材１２２を可動させる。【選択図】図２
2008060108.tif 000002
【特許請求の範囲】
【請求項１】
電子機器の外装を構成する筐体と、
前記筐体に設置される開口部と、
前記開口部を介して、正回転動作により外気を前記筐体内部に吸入し、逆回転動作により前記筐体内部の空気を前記電子機器の外部へ排気するファンと、
前記開口部と前記ファンとの間に配置され、塵埃の前記筐体内部への侵入を防ぐフィルタと、
前記フィルタを保持するフィルタ保持部材と、
前記フィルタ保持部材を可動させる可動部とを備え、
前記可動部は、前記ファンの逆回転動作に連動して前記フィルタ保持部材を可動させることを特徴とする電子機器。
【請求項２】
請求項１に記載の電子機器であって、
前記可動部は、振動を発生させる振動部材を有し、
前記フィルタ保持部材は、前記振動部材で発生した前記振動に対応して振動することを特徴とする電子機器。
【請求項３】
請求項２に記載の電子機器であって、
前記振動の周波数は、前記ファンの逆回転数と比例することを特徴とする電子機器。
【請求項４】
請求項２または３に記載の電子機器であって、
前記振動の振幅は、前記ファンの逆回転数と比例することを特徴とする電子機器。
【請求項５】
請求項１乃至４のいずれか一項に記載の電子機器であって、
前記電子機器は、さらに、前記ファンの逆回転動作時間を計時するタイマ部を備え、
前記タイマ部が前記ファンの逆回転動作時間を計時し、所定の時間を経過したときに、前記ファンの逆回転動作を停止することを特徴とする電子機器。
【請求項６】
請求項１乃至５のいずれか一項に記載の電子機器であって、
前記ファンの逆回転動作は、間欠的に行うことを特徴とする電子機器。
【請求項７】
請求項１乃至６のいずれか一項に記載の電子機器であって、
前記電子機器の全体に電源が供給されており、通常機能動作を行っている動作状態と、
前記電子機器の一部分に電源が供給されているが、前記電子機器としての前記通常機能動作は行っておらず、待機機能動作をしている待機状態と、
前記電子機器に電源が供給されていない停止状態と、
のうちのいずれか１つの状態を取り得ることを特徴とする電子機器。
【請求項８】
請求項７に記載の電子機器であって、
前記動作状態から前記待機状態へと遷移する際に、前記ファンを逆回転動作することを特徴とする電子機器。
【請求項９】
請求項７または８に記載の電子機器であって、
前記待機状態から前記動作状態へと遷移する際に、特定のキースイッチ入力信号を受信した場合に、前記ファンを逆回転動作することを特徴とする電子機器。
【請求項１０】
請求項７乃至９のいずれか一項に記載の電子機器であって、
前記停止状態から前記待機状態へと遷移する際に、前記ファンを逆回転動作することを特徴とする電子機器。
【請求項１１】
請求項１乃至１０のいずれか一項に記載の電子機器であって、
前記電子機器はプロジェクタであることを特徴とする電子機器。
【発明の詳細な説明】
【技術分野】
【０００１】
本発明は、電子機器の筐体内部へ外気を吸入するファンと、塵埃の侵入を防ぐフィルタとを備える電子機器に関するものである。
【背景技術】
【０００２】
電子機器には、その内部を冷却する冷却ファンと、冷却ファンに装着されて、外部からの塵埃の侵入を防止するフィルタとを備える内部冷却装置が取り付けられているものがある。しかし、フィルタに塵埃が蓄積されると、電子機器内部に送り込まれる風量が減り、冷却効果が低減していた。そこで、内部冷却装置の冷却ファンに、フィルタ表面に機械的に作動してフィルタに付着した塵埃を除去する清掃手段を設け、さらに、冷却ファンは、冷却動作時は正回転による吸気動作を行い、清掃モード時は逆回転による排気動作を行うと共に清掃手段が作動するような内部冷却装置が開示されている（特許文献１）。
【０００３】
【特許文献１】特開２００６−４１０９７号公報
【発明の開示】
【発明が解決しようとする課題】
【０００４】
しかし、特許文献１においては、清掃手段が、フィルタ表面に機械的に作動することでフィルタに付着した塵埃を除去するため、フィルタ表面と清掃手段の間に摩擦が生じ、フィルタの劣化を早め、塵埃を除去する性能が低下してしまう可能性が高かった。また、清掃手段が、フィルタ表面を作動する際に発生する摩擦によりフィルタ表面に傷がつき、フィルタ自身からも微細な塵埃を発生することとなり、フィルタ自身が塵埃発生源となる可能性が高かった。
【０００５】
本発明は、このような課題を解決するためになされたもので、フィルタに付着した塵埃の除去を可能とし、フィルタの劣化を抑制することができる電子機器を提供することを目的とする。
【課題を解決するための手段】
【０００６】
上記目的を達成するために、本発明の電子機器は、電子機器の外装を構成する筐体と、筐体に設置される開口部と、開口部を介して、正回転動作により外気を筐体内部に吸入し、逆回転動作により筐体内部の空気を電子機器の外部へ排気するファンと、開口部とファンとの間に配置され、塵埃の筐体内部への侵入を防ぐフィルタと、フィルタを保持するフィルタ保持部材と、フィルタ保持部材を可動させる可動部とを備え、可動部は、ファンの逆回転動作に連動してフィルタ保持部材を可動させることを要旨とする。
【０００７】
かかる電子機器によれば、ファンは、逆回転動作により筐体内部の空気を電子機器の外部へ排出することで、フィルタに付着した塵埃を吹き飛ばして除去する。さらに、可動部によって、フィルタ保持部材を可動することでフィルタも可動し、フィルタに付着した塵埃を剥離しやすくすることができるため、塵埃除去効率を向上することができる。このとき、フィルタは、フィルタ保持部材を介して間接的に可動されている。よって、従来は、フィルタの表面に直接的に接触する部材を用いていたのに対し、当該電子機器は、フィルタの表面に直接的に接触するものは無く、フィルタ自体の劣化を抑制することができる。
【０００８】
また、上記電子機器において、可動部は、振動を発生させる振動部材を有し、フィルタ保持部材は、振動部材で発生した振動に対応して振動することが好ましい。
【０００９】
このような電子機器によれば、振動部材による振動により、フィルタに付着した塵埃を振るい落とすことができる。よって、塵埃除去効率を向上することができる。
【００１０】
また、上記電子機器において、振動の周波数は、ファンの逆回転数と比例することが好ましい。
【００１１】
このような電子機器によれば、フィルタ保持部材を介してフィルタが振動する周波数を可変することで、様々な種類や大きさの塵埃に対して効果的に振動を与えることが可能となる。また、振動する周波数に併せて、ファンの逆回転数を比例的に上げるようにしている。つまり、フィルタに蓄積された様々な種類や大きさの塵埃に対して効果的な振動を与えるとともに、ファンの逆回転数を決定することにより、好適な塵埃除去を行うことができる。
【００１２】
また、上記電子機器において、振動の振幅は、ファンの逆回転数と比例することが好ましい。
【００１３】
このような電子機器によれば、フィルタ保持部材を介してフィルタが振動する振幅は、ファンの逆回転数と比例関係となる。よって、フィルタに蓄積された塵埃の量に応じて、吸気ファンの逆回転数を決定することにより、フィルタの振動の振幅も最適な値に一意的に決まり、好適な塵埃除去を行うことができる。
【００１４】
また、上記電子機器において、さらに、ファンの逆回転動作時間を計時するタイマ部を備え、タイマ部がファンの逆回転動作時間を計時し、所定の時間を経過したときに、ファンの逆回転動作を停止することが好ましい。
【００１５】
このような電子機器によれば、ファンの逆回転動作は、所定の時間で停止する。よって、塵埃除去処理の時間を必要最低限に抑えることが可能となり、電子機器の操作応答性を損なうことのない塵埃除去が実現できる。
【００１６】
また、上記電子機器において、ファンの逆回転動作は、間欠的に行うことが好ましい。
【００１７】
このような電子機器によれば、逆回転動作の際、ファンは、逆回転の動作と停止を交互に繰り返す。このように、ファンが間欠動作を行うことによって、フィルタに蓄積した塵埃は剥離しやすくなり、塵埃除去効率を向上することができる。
【００１８】
また、上記電子機器において、電子機器の全体に電源が供給されており、通常機能動作を行っている動作状態と、電子機器の一部分に電源が供給されているが、電子機器としての通常機能動作は行っておらず、待機機能動作をしている待機状態と、電子機器に電源が供給されていない停止状態と、のうちのいずれか１つの状態を取り得ることが好ましい。
【００１９】
このような電子機器によれば、動作状態、待機状態および停止状態の３つの状態が存在する。停止状態では、消費電力は０（ゼロ）となる。待機状態では、電子機器の一部分のみに電源が供給されており、消費電力は低く抑えられている。動作状態では、電子機器の全体に電源が供給されており、消費電力は通常機能動作分が消費されている。待機状態では、例えば、リモートコントローラによる主電源オン操作等のユーザ操作の一部を受け付け、動作状態に遷移することができる。このように、電子機器の各状態に応じて、無駄な消費電力を消費することなく必要な機能動作を実現することができる。
【００２０】
また、上記電子機器において、動作状態から待機状態へと遷移する際に、ファンを逆回転動作することが好ましい。
【００２１】
このような電子機器によれば、動作状態から待機状態へと遷移する際に、フィルタの塵埃除去を行う。ここで、動作状態から待機状態へと遷移する際とは、例えば、主電源をオフする操作がなされた場合を示す。よって、電子機器は、主電源オフの度に塵埃除去を行うことによって、フィルタの目詰まりを抑えることができる。ここで、フィルタの塵埃除去を行うのは、電子機器内部を冷却するためのファンの正回転動作が終了した後とする。よって、塵埃除去処理によってファンを逆回転動作しても電子機器への影響はない。
【００２２】
また、上記電子機器において、待機状態から動作状態へと遷移する際に、特定のキースイッチ入力信号を受信した場合に、ファンを逆回転動作することが好ましい。
【００２３】
このような電子機器によれば、待機状態から動作状態へと遷移する際に、特定のキースイッチ入力信号を受信した場合に、フィルタの塵埃除去を行う。待機状態から動作状態へと遷移する際とは、例えば、主電源をオンする操作が行われたときを示す。また、特定のキースイッチ入力信号の受信とは、例えば、ユーザによって特定のキースイッチが押下されたことを示す。よって、電子機器は、ユーザの希望によって、特定のキースイッチが押下されることで、主電源オン時に塵埃除去を行うことができ、フィルタの目詰まりを抑えることができる。ここで、フィルタの塵埃除去を行うのは、電子機器内部を冷却するためのファンの正回転動作を開始する前とする。また、フィルタの塵埃除去を行うのは、ランプ点灯の前でもある。よって、塵埃除去処理によってファンを逆回転動作しても電子機器への影響はない。
【００２４】
また、上記電子機器において、停止状態から待機状態へと遷移する際に、ファンを逆回転動作することが好ましい。
【００２５】
このような電子機器によれば、停止状態から待機状態へと遷移する際に、フィルタの塵埃除去を行う。停止状態から待機状態へと遷移する際とは、例えば、電子機器のＡＣアダプタをコンセントに差し込む（ＡＣ電源を供給する）ことを示す。よって、電子機器は、ＡＣアダプタをコンセントに差し込まれる度に塵埃除去を行うことによって、フィルタの目詰まりを抑えることができる。ここで、停止状態および待機状態では電子機器内部を冷却するためのファンの正回転動作は不要である。よって、停止状態から待機状態へと遷移する際に、塵埃除去処理によってファンを逆回転動作しても電子機器への影響はない。
【００２６】
また、上記電子機器において、電子機器はプロジェクタであることが好ましい。
【００２７】
こうすれば、上述のような効果が得られ、塵埃除去効果が高く、フィルタの目詰まりし難いプロジェクタを提供できる。特にプロジェクタの場合、天井に吊り下げられて使用されることがあり、フィルタの清掃や交換をするのに手間が掛かる場合があるため、塵埃除去機能を備えた本発明を適用することの有用性は高い。
【発明を実施するための最良の形態】
【００２８】
（第１の実施形態）
以下、図１〜図１０、図１２、図１３を用いて、本発明の第１の実施形態について説明する。
【００２９】
図１は、本発明の第１の実施形態に係る電子機器としてのプロジェクタの概略斜視図である。図１を参照して、プロジェクタ１００の外観上の構成を説明する。
プロジェクタ１００は、プロジェクタ１００の外装を構成している筐体１と、吸気口２と、排気口３と、操作部４と、リモコン受光部５と、投写レンズ６と、報音穴７と、ＬＥＤ（Ｌｉｇｈｔ  Ｅｍｉｔｔｉｎｇ  Ｄｉｏｄｅ）表示部８と、足９とを備えている。
【００３０】
吸気口２は、筐体１に設置された開口部であり、吸気口２内部には、後述する吸気ファン１２０、フィルタ１２１、フィルタ保持部材１２２および振動素子１２３等が設置されている。吸気口２は、外気を筐体１内部に吸入する。排気口３は、筐体１に設置された開口部であり、排気口３内部には、排気ファン１３０が設置されている。排気口３は、吸気口２から吸入された空気を筐体１外部に排気する。操作部４は、キースイッチを備えており、ユーザによるプロジェクタ１００の機能操作を受け付ける。リモコン受光部５は、リモートコントローラを用いたユーザによるプロジェクタ１００の機能操作を受け付ける。投写レンズ６は、プロジェクタ１００に入力された映像信号を映像として投写するレンズである。報音穴７は、その内部にスピーカが設置されており、プロジェクタ１００に入力された音声を出力する。ＬＥＤ表示部８は、ＬＥＤを用いて、プロジェクタ１００の機能動作状態を各色および点灯／点滅等により表示する。足９は、プロジェクタ１００を支持し、プロジェクタ１００の高さを調節する。また、プロジェクタ１００の背面には図示しない映像および音声の入力部があり、映像信号および音声信号を入力する。
【００３１】
図２は、本発明の第１の実施形態に係る電子機器としてのプロジェクタの吸気口およびその内部を示す構成図である。図２（ａ）および図２（ｂ）を参照して、プロジェクタ１００の吸気口２およびその内部の構成を説明する。
【００３２】
図２（ａ）は、請求項におけるファンとしての吸気ファン１２０を正回転動作することにより外気をプロジェクタ１００の筐体１内部に吸入する場合を表している。図示するように、プロジェクタ１００の吸気口２およびその内部は、吸気ファン１２０と、フィルタ１２１と、フィルタ保持部材１２２と、振動部材としての振動素子１２３とを備えている。振動素子１２３は、例えば、圧電素子や超音波モータ等としてもよい。ここで、フィルタ保持部材１２２と筐体１の間には若干の隙間を設けておくものとする。また、図中の矢印は、空気の流れを示している。
【００３３】
図２（ｂ）は、請求項におけるファンとしての吸気ファン１２０を逆回転動作することにより筐体１内部の空気をプロジェクタ１００の外部へ排気する場合を表している。構成は図２（ａ）と同様であるが、空気の流れが逆方向となる。
【００３４】
図２（ａ）では、吸気ファン１２０を正回転動作することで、外気がフィルタ１２１を介して送り込まれ、筐体１内部を冷却する。このとき、フィルタ１２１は、外部の塵埃が筐体１内部に侵入することがないように、フィルタ１２１の表面で塵埃を受け止める。図２（ｂ）では、吸気ファン１２０の逆回転動作により筐体１内部の空気をプロジェクタ１００の外部へ排気する。吸気ファン１２０が逆回転動作することで、フィルタ１２１に蓄積された塵埃が外部に向かって吹き飛ばされる。このとき、吸気ファン１２０の逆回転動作に連動して、振動素子１２３が振動する。振動素子１２３が振動することによって、連接されるフィルタ保持部材１２２が振動する。前述したように、フィルタ保持部材１２２と筐体１の間には若干の隙間が設けてあるので、フィルタ保持部材１２２は隙間の領域間で振動することが可能である。フィルタ保持部材１２２が振動することで、フィルタ１２１が振動する。このような一連の動作により、フィルタ１２１に付着した塵埃は、フィルタ１２１の表面から振るい落とされ、また、剥離される。
【００３５】
これにより、フィルタ１２１を振動させることにより、単に吸気ファン１２０のみを逆回転動作することと比較して、高い塵埃除去効果が得られる。また、フィルタ１２１は、フィルタ保持部材１２２を介して振動素子１２３によって振動を与えられる。よって、この塵埃除去方法は、フィルタ１２１の表面に対する直接的な接触を行うものではないため、フィルタ１２１は、磨耗することや、傷つくということがなく、劣化を抑制することができる。つまり、フィルタ１２１の寿命を向上することができる。
【００３６】
図３は、プロジェクタの機能構成を示す機能ブロック図である。図３を使用して、プロジェクタ１００の機能構成について説明する。
プロジェクタ１００は、映像入力部１１０と、映像信号処理部１１１と、映像投写部１１２と、操作部４と、リモコン受光部５と、操作受付部１１３と、制御部１１４と、タイマ部１１５と、ファン制御部１１６と、温度検出部１１７と、振動制御部１１８と、吸気ファン１２０と、フィルタ１２１と、フィルタ保持部材１２２と、振動素子１２３と、排気ファン１３０とを備えている。
【００３７】
次に、機能構成を用いてプロジェクタ１００の動作を説明する。
映像入力部１１０は、図示しない外部映像出力装置から映像信号を入力する。入力された映像信号は、映像信号処理部１１１によって必要に応じて映像加工が行われる。映像加工とは、例えば、拡大や縮小といった画像処理や台形補正処理、色補正処理等を示す。映像加工が行われた映像信号は、映像投写部１１２によって映像として投写される。操作受付部１１３は、操作部４またはリモコン受光部５からのユーザによるプロジェクタ１００への機能操作指示を受け付ける。制御部１１４は、操作受付部１１３が受け付けた機能操作指示に対応した機能動作や、タイマ部１１５からの計時結果に対応した機能動作等を行い、プロジェクタ１００を統括制御する。その他の制御内容としては、例えば、映像信号処理に関する制御や、図示しないランプ部の制御、ファン制御等を行う。また、タイマ部１１５は、制御部１１４からの指示によって、様々な計時処理を行う。
【００３８】
ファン制御部１１６は、制御部１１４からの指示によって、ファン関連の制御を行う。ファン制御部１１６は、温度検出部１１７から温度情報を入力する。さらに、ファン制御部１１６は、タイマ部１１５からの計時情報および操作受付部１１３からの機能操作情報を制御部１１４を介して入力する。ファン制御部１１６は、これらの情報を用いて、ファンの回転方向（正回転／逆回転）、回転開始動作、回転停止動作、回転数および回転時間等を制御する。そして、ファン制御部１１６は、これらのファン回転情報を振動制御部１１８に出力する。ファン制御部１１６が制御するファンは、吸気ファン１２０および排気ファン１３０である。吸気ファン１２０および排気ファン１３０は、それぞれ１つまたは複数存在し、個別に制御することが望ましい。
【００３９】
温度検出部１１７は、プロジェクタ１００内の冷却することが必要な発熱部分の温度を測定し、ファン制御部１１６へ出力する。振動制御部１１８は、ファン制御部１１６からのファン回転情報に基づいて、振動素子１２３の振動を制御する。振動の制御としては、振動の開始、振動の停止、振動の周波数および振幅等を制御する。ここで、制御部１１４とファン制御部１１６と振動制御部１１８とは、別の機能構成部としているが、回路構成としては１つのＣＰＵ（Ｃｅｎｔｒａｌ  Ｐｒｏｃｅｓｓｉｎｇ  Ｕｎｉｔ）で構成するものとしてもよい。
【００４０】
吸気ファン１２０は、ファン制御部１１６によって制御されて動作する。フィルタ１２１は、フィルタ保持部材１２２によって保持されている。フィルタ１２１は、プロジェクタ１００の筐体１内部への塵埃の侵入を防ぐ。フィルタ保持部材１２２は、フィルタ１２１を保持し、振動素子１２３と連接されている。振動素子１２３は、振動制御部１１８によって制御されて動作する。振動素子１２３が振動することで、フィルタ保持部材１２２が振動し、さらに、フィルタ１２１が振動する。排気ファン１３０は、ファン制御部１１６によって制御されて動作する。
【００４１】
このような構成によって、プロジェクタ１００は、映像を投写しながら、吸気ファン１２０と排気ファン１３０を用いて筐体１内部の温度制御を行うことができる。また、吸気ファン１２０と振動素子１２３を互に連動させることによって、フィルタ１２１に付着した塵埃の除去を行うことができる。
【００４２】
次に、本発明の第１の実施形態として、プロジェクタ１００の状態遷移と塵埃除去処理について実施例１〜４を用いて説明する。プロジェクタ１００は、図４の状態遷移図に示すように、動作状態ＳＴ１２、待機状態ＳＴ１１、停止状態ＳＴ１０の３つの状態を取り得る。動作状態ＳＴ１２とは、プロジェクタ１００装置全体に電源が供給されており、光源としてのランプを点灯して映像を投写している通常機能動作状態を示す。待機状態ＳＴ１１とは、プロジェクタ１００装置の一部分に電源が供給されているが、ランプを消灯して、映像投写していない状態を示す。そして、待機状態ＳＴ１１は、ユーザによるプロジェクタ１００の機能操作指示を待ち、待機をする。また、停止状態ＳＴ１０とは、プロジェクタ１００装置に電源が供給されていない停止した状態を示す。なお、ここでは、停止状態ＳＴ１０と待機状態ＳＴ１１は、例えば、ＡＣアダプタ挿抜等によって状態が遷移するものとし、待機状態ＳＴ１１と動作状態ＳＴ１２は、例えば、主電源キースイッチオン／オフ等のユーザからの操作指示を受けて状態が遷移するものとしている。なお、以降の説明においては、各状態の符号は省略する。
【００４３】
（実施例１）図５は、実施例１に係るプロジェクタが動作状態から待機状態へ遷移する際の処理のフローチャートである。本実施例では、プロジェクタ１００が動作状態から待機状態へ遷移するための操作は、ユーザによる主電源のオフ操作としている。本実施例は、クールダウン動作後に塵埃除去を行う場合の遷移処理を示す。ここで、クールダウン動作とは、通常機能動作終了時に、プロジェクタ１００内部の温度を下げるために吸気ファンおよび排気ファンを、一定時間、正回転動作することを示す。また、塵埃除去処理はサブルーチンとしており、詳細は図６にて説明する。図５を使用して、プロジェクタ１００が動作状態から待機状態へ遷移する際の処理について説明する。
【００４４】
制御部１１４は、まず、プロジェクタ１００のランプを消灯する（ステップＳ１００）。次に、ファン制御部１１６は、クールダウン動作を開始する（ステップＳ１１０）。クールダウン動作の際には、吸気ファン１２０は、正回転動作を行う。また、排気ファン１３０についても、正回転動作を行う。次に、制御部１１４は、タイマ部１１５にクールダウンタイマをスタートさせる（ステップＳ１２０）。クールダウンタイマとは、クールダウン動作を行う時間（以降、「クールダウン時間」と呼ぶ）を計時するタイマである。タイマ部１１５は、クールダウン時間を経過したか否かを判断する（ステップＳ１３０）。クールダウン時間を経過しない間は（ステップＳ１３０：ＮＯ）、ステップＳ１３０をループすることで時間の経過を待ち続ける。タイマ部１１５が、クールダウン時間を経過したと判断したときには（ステップＳ１３０：ＹＥＳ）、ファン制御部１１６は、吸気ファン１２０および排気ファン１３０の回転動作を停止させ、クールダウン動作を停止する（ステップＳ１４０）。
【００４５】
次に、ファン制御部１１６および振動制御部１１８は、塵埃除去処理サブルーチンを実行する（ステップＳ１５０）。ここで、塵埃除去処理とは吸気ファン１２０を逆回転動作させてフィルタ１２１に付着した塵埃を除去する処理を示すが、詳細については、図６のフローチャートを用いて後に説明する。また、塵埃除去処理サブルーチンは、図７にて説明する間欠動作塵埃除去サブルーチンに置き換えることも可能である。次に、制御部１１４は、動作状態から待機状態への遷移に伴う各種処理を実行して（ステップＳ１６０）、プロジェクタ１００は、待機状態に移行する。ここで、各種処理とは、プロジェクタ１００の諸機能に関連したデータの保存処理等を示す。
【００４６】
図６は、塵埃除去処理サブルーチンのフローチャートである。図６を使用して、プロジェクタ１００の塵埃除去に関連した一連の処理について説明する。
【００４７】
ファン制御部１１６は、吸気ファン１２０の逆回転数を決定する（ステップＳ２００）。ここでは、逆回転数は予め設定しておくものとする。逆回転数は、フィルタ１２１表面の塵埃の付着度合いに応じて、ユーザが変更できることが望ましい。例えば、プロジェクタ１００内の機能設定テーブルの１つとしてファンの逆回転数設定項目を設け、ユーザが操作部４またはリモートコントローラを用いて設定できるようにするとよい。このとき、ユーザは、フィルタ１２１表面の塵埃の付着が少ないと感じる場合は吸気ファン１２０の逆回転数を低くし、塵埃の付着が多いと感じる場合は逆回転数を高くする設定を行うことで、効率的な塵埃除去を行うことが可能となる。また、吸気ファン１２０の逆回転数を自動的に決定することも可能である。例えば、フィルタ１２１の内側に風圧測定素子を設置し、吸気ファン１２０が正回転動作しているときに、フィルタ１２１の空気吸入時の風圧を測定することで、フィルタ１２１の塵埃付着状況を判断する。その判断結果に対応させて、ファン制御部１１６が吸気ファン１２０の逆回転数を決定するものとしてもよい。ここで、吸気ファン１２０が複数存在する場合は、それぞれについて個別で逆回転数を決定することが望ましい。次に、ファン制御部１１６は、ステップＳ２００で決定された逆回転数に基づいて、吸気ファン１２０に逆回転動作を開始させる（ステップＳ２１０）。
【００４８】
次に、振動制御部１１８は、吸気ファン１２０の逆回転数に基づいて、振動素子１２３の振動の周波数および振幅を決定する（ステップＳ２２０）。振動の周波数の決定方法としては、例えば、振動制御部１１８は、図１２に示すような一次関数を使用するものとする。図１２は、ファンの逆回転数と振動の周波数との関係図である。直線Ａは、ファンの逆回転数と振動の周波数が比例関係にある一次関数を示す。この一次関数を用いて振動制御部１１８は、ファンの逆回転数の値がａであったとき、振動の周波数の値はｂとして一意的に決定することができる。なお、ここでは、ファンの逆回転数をもとに振動の周波数を決定しているが、塵埃の種類や大きさに応じて振動の周波数を先に決定し、該振動の周波数に基づいてファンの逆回転数を決定するものとしてもよい。
【００４９】
また、振動の振幅の決定方法としては、例えば、振動制御部１１８は、図１３に示すような一次関数を使用するものとする。図１３は、ファンの逆回転数と振動の振幅との関係図である。直線Ｂは、ファンの逆回転数と振動の振幅が比例関係にある一次関数を示す。この一次関数を用いて、振動制御部１１８は、ファンの逆回転数の値がａであったとき、振動の振幅の値はｃとして一意的に決定することができる。このように、これらの関数を用いて、振動制御部１１８は、吸気ファン１２０の逆回転数から振動の周波数および振幅を決定することが可能となる。次に、振動制御部１１８は、ステップＳ２２０で決定された振動の周波数および振幅に基づいて、振動素子１２３に振動を開始させる（ステップＳ２３０）。
【００５０】
次に、制御部１１４は、タイマ部１１５に吸気ファン逆回転タイマをスタートさせる（ステップＳ２４０）。吸気ファン逆回転タイマとは、吸気ファン１２０の逆回転動作の所定の時間を計時するタイマである。吸気ファン逆回転タイマは、所定の時間の経過を計時する。ここで、所定の時間は、予め設定しておくものとする。また、所定の時間は、ユーザが変更できることが望ましい。例えば、プロジェクタ１００の機能設定テーブルの１つとしてファン逆回転動作時間設定項目を設け、ユーザが操作部４またはリモートコントローラを用いて設定できるようにするとよい。このとき、ユーザは、フィルタ１２１表面の塵埃の付着が少ないと感じる場合は吸気ファン１２０の逆回転動作時間を短くし、塵埃の付着が多いと感じる場合は逆回転動作時間を長くする設定を行うことで、効率的な塵埃除去を行うことが可能となる。また、所定の時間を自動的に決定することも可能である。例えば、フィルタ１２１の内側に風圧測定素子を設置し、吸気ファン１２０が正回転動作しているときに、フィルタ１２１の空気吸入時の風圧を測定することで、フィルタ１２１の塵埃付着状況を判断する。その判断結果に基づいて吸気ファン１２０の逆回転動作時間である所定の時間を決定するものとしてもよい。
【００５１】
タイマ部１１５は、所定の時間を経過したか否かを判断する（ステップＳ２５０）。所定の時間を経過しない間は（ステップＳ２５０：ＮＯ）、時間の経過を待ち続ける。所定の時間を経過したときには（ステップＳ２５０：ＹＥＳ）、ファン制御部１１６は、吸気ファン１２０の逆回転動作を停止する（ステップＳ２６０）。次に、振動制御部１１８は、振動素子１２３の振動を停止する（ステップＳ２７０）。以上で、塵埃除去に関連した一連の処理（サブルーチン）は終了し、リターンする。
【００５２】
次に、ファン逆回転動作を間欠的に行う場合の塵埃除去処理（以降、「間欠動作塵埃除去処理」と呼ぶ）サブルーチンについて説明する。図７は、間欠動作塵埃除去処理サブルーチンのフローチャートである。間欠動作塵埃除去処理サブルーチンは、図６で示した塵埃除去処理サブルーチンに対して、ファン逆回転動作を間欠的に行う処理を追加したものである。よって、実施例１および後述する実施例２〜４の塵埃除去処理サブルーチン部分を、間欠動作塵埃除去処理サブルーチンに置き換えることが可能である。図７を使用して、プロジェクタ１００の間欠動作塵埃除去処理について説明する。なお、本説明では、主に図６の塵埃除去処理サブルーチンとの違いを記載する。
【００５３】
図７において、吸気ファンの逆回転数決定（ステップＳ３００）から吸気ファン逆回転タイマスタート（ステップＳ３４０）までの処理は、図６のステップＳ２００からステップＳ２４０までの処理と対応しており同様の動作を行う。つまり、ステップＳ３００はステップＳ２００に対応し、ステップＳ３１０はステップＳ２１０に対応し、ステップＳ３２０はステップＳ２２０に対応し、ステップＳ３３０はステップＳ２３０に対応し、ステップＳ３４０はステップＳ２４０に対応している。次に、制御部１１４は、タイマ部１１５に吸気ファン間欠動作タイマをスタートさせる（ステップＳ３５０）。吸気ファン間欠動作タイマとは、吸気ファン１２０が逆回転動作と停止を交互に繰り返す時間（以降、「間欠動作時間」と呼ぶ）を計時するタイマである。ここで、間欠動作時間は、予め設定しておくものとする。また、間欠動作時間は、ユーザが変更できることが望ましい。例えば、プロジェクタ１００の機能設定テーブルの１つとしてファン間欠動作時間設定項目を設け、ユーザが操作部４またはリモートコントローラを用いて設定できるようにするとよい。
【００５４】
次に、タイマ部１１５は、吸気ファン逆回転タイマが所定の時間を経過したか否かを判断する（ステップＳ３６０）。所定の時間を経過していない場合は（ステップＳ３６０：ＮＯ）、タイマ部１１５は、吸気ファン間欠動作タイマが間欠動作時間を経過したか否かを判断する（ステップＳ３７０）。間欠動作時間を経過していない場合は（ステップＳ３７０：ＮＯ）、ステップＳ３６０へ戻る。吸気ファン間欠動作タイマが間欠動作時間を経過した場合は（ステップＳ３７０：ＹＥＳ）、ファン制御部１１６は、吸気ファン１２０の逆回転動作と停止を切り替える（ステップＳ３８０）。つまり、吸気ファン１２０が逆回転動作をしていれば停止し、吸気ファン１２０が停止していれば逆回転動作を開始する。次に、振動制御部１１８は、振動素子１２３の振動動作と停止を切り替える（ステップＳ３９０）。つまり、振動素子１２３が振動動作していれば停止し、振動素子１２３が停止していれば振動動作を開始する。次に、制御部１１４は、タイマ部１１５に吸気ファン間欠動作タイマを再スタートさせる（ステップＳ４００）。これは、この時点では、吸気ファン間欠動作タイマはタイムアウトしているので、間欠動作を継続するために再スタートするのである。次に、ステップＳ３６０に戻る。
【００５５】
ステップＳ３６０にて、タイマ部１１５が、吸気ファン逆回転タイマが所定の時間を経過したと判断した場合（ステップＳ３６０：ＹＥＳ）、ファン制御部１１６は、吸気ファン１２０の逆回転動作を停止する（ステップＳ４１０）。次に、振動制御部１１８は、振動素子１２３の振動を停止する（ステップＳ４２０）。以上で、間欠動作塵埃除去処理サブルーチンは終了し、リターンする。
【００５６】
上述した実施例１によれば、以下の効果が得られる。
（１）動作状態から待機状態へ遷移する際、ランプを消灯し、クールダウン動作が終了した後であれば、筐体１内部は冷却の必要がない状態となっているので、吸気ファン１２０を逆回転動作しても、プロジェクタ１００の機能動作への影響はない。よって、塵埃除去処理を実行することが可能である。このように、動作状態から待機状態へ遷移する毎に塵埃除去を行うことで、フィルタの目詰まりを抑えることができる。つまり、フィルタの清掃や交換の回数を減少させることができる。また、筐体１内部への空気の吸入効率を維持することができるため、吸気ファン１２０の正回転動作時の冷却能力の低下を抑制することができる。
【００５７】
（２）また、吸気ファン１２０の逆回転数と振動素子１２３の振動の周波数を比例させることで、フィルタ１２１表面の塵埃の付着が少ない場合や除去が容易な塵埃の場合は、吸気ファン１２０の逆回転数を低く、かつ、振動素子１２３の振動の周波数を低くすることができる。また、塵埃の付着が多い場合や除去が困難な塵埃の場合は、逆回転数を高く、かつ、振動素子１２３の振動の周波数を高くすることができる。ここで、振動の周波数が低い場合は、フィルタ１２１の全面に対して振動を印加することが可能であり、吸気ファン１２０の逆回転数は低くても、塵埃の付着が少ない場合や除去が容易な塵埃の場合には効率的に塵埃除去を行うことができる。また、振動の周波数が高い場合は、振動の指向性が高いため、フィルタ１２１の中心部分に対して振動を集中して印加することが可能であり、吸気ファン１２０の逆回転数を高くすることで、塵埃の付着が多い場合や除去が困難な塵埃の場合に効率的に塵埃除去を行うことができる。これにより、ユーザの意図を反映した効率的な吸気ファン１２０の逆回転数と振動素子１２３の振動の周波数の組み合わせで、塵埃除去を行うことが可能となる。また、必要最低限の吸気ファン１２０の逆回転数と、振動素子１２３の振動の周波数とを設定することで、塵埃除去時の吸気ファン１２０の回転音および、振動素子１２３、フィルタ保持部材１２２、フィルタ１２１等の振動音を抑えることができる。
【００５８】
（３）同様に、吸気ファン１２０の逆回転数と振動素子１２３の振動の振幅を比例させることで、フィルタ１２１表面の塵埃の付着が少ない場合は、吸気ファン１２０の逆回転数を低く、かつ、振動素子１２３の振動の振幅を小さくすることができる。また、塵埃の付着が多い場合は、逆回転数を高く、かつ、振動素子１２３の振動の振幅を大きくすることができる。これにより、ユーザの意図を反映した効率的な吸気ファン１２０の逆回転数と振動素子１２３の振動の振幅の組み合わせで、塵埃除去を行うことが可能となる。また、必要最低限の吸気ファン１２０の逆回転数と、振動素子１２３の振動の振幅とを設定することで、塵埃除去時の吸気ファン１２０の回転音および、振動素子１２３、フィルタ保持部材１２２、フィルタ１２１等の振動音を抑えることができる。
【００５９】
（４）また、間欠動作塵埃除去処理を用いた場合、次のような効果が得られる。ファン逆回転動作を間欠的に行うことで、フィルタ１２１に付着した塵埃に間欠的に風圧がかかるため、塵埃は、フィルタ１２１から引き離されやすくなる。よって、効率的な塵埃除去を行うことができる。
【００６０】
（実施例２）図８は、実施例２に係るプロジェクタが動作状態から待機状態へ遷移する際の処理のフローチャートである。本実施例では、プロジェクタ１００が動作状態から待機状態へ遷移するための操作は、ユーザによる主電源のオフ操作としている。本実施例は、クールダウン動作を実行せずに塵埃除去を行う場合の遷移処理を示す。図８は、図５の遷移処理からクールダウン動作を除いたものと、ほぼ同様である。図８を使用して、プロジェクタ１００が動作状態から待機状態へ遷移する際の処理について説明する。
【００６１】
制御部１１４は、プロジェクタ１００のランプを消灯する（ステップＳ５００）。次に、ファン制御部１１６は、吸気ファン１２０および排気ファン１３０の正回転動作を停止する（ステップＳ５１０）。次に、ファン制御部１１６および振動制御部１１８は、塵埃除去処理サブルーチンを実行する（Ｓ５２０）。塵埃除去処理サブルーチンは、図６に示したフローチャートと同様であるが、図７にて説明した間欠動作塵埃除去サブルーチンに置き換えることも可能である。次に、制御部１１４は、動作状態から待機状態への遷移に伴う各種処理を実行して（ステップＳ５３０）、プロジェクタ１００は、待機状態に移行する。ここで、各種処理とは、プロジェクタ１００の諸機能に関連したデータの保存処理等を示す。
【００６２】
上述した実施例２によれば、実施例１での効果（２）〜（４）と同様の効果を奏することができる。他に、以下の効果が得られる。
動作状態から待機状態へ遷移する際、クールダウン動作が不要なプロジェクタ１００であれば、ランプを消灯し、ファン正回転動作が停止した後は、筐体１内部は冷却の必要がない状態となっているので、吸気ファン１２０を逆回転動作しても、プロジェクタ１００の機能動作への影響はない。よって、塵埃除去処理を実行することが可能となる。このように、動作状態から待機状態へ遷移する毎に、塵埃除去を行うことで、フィルタの目詰まりを抑えることができる。つまり、フィルタの清掃や交換の回数を減少させることができる。また、筐体１内部への空気の吸入効率を維持することができるため、吸気ファン１２０の正回転動作時の冷却能力の低下を抑制することができる。
【００６３】
（実施例３）図９は、実施例３に係るプロジェクタが待機状態から動作状態へ遷移する際の処理のフローチャートである。本実施例では、プロジェクタ１００が待機状態から動作状態へ遷移するための操作は、ユーザによる主電源のオン操作としている。本実施例は、主電源のオン操作が行われた際に、塵埃除去を行う場合と行わない場合の遷移処理を示す。図９を使用して、プロジェクタ１００が待機状態から動作状態へ遷移する際の処理について説明する。
【００６４】
制御部１１４は、操作受付部１１３からの情報により、ユーザによる特定のキースイッチ操作が行われたか否かを判断する（ステップＳ６００）。ユーザによる特定のキースイッチ操作とは、主電源オンの際に塵埃除去を実行するための操作である。例えば、通常の主電源オンキースイッチとは異なる、所定のキースイッチ押下によって主電源をオンする操作を示す。また、別の操作方法としては、通常の主電源オンキースイッチと他の所定のキースイッチの２つのキースイッチを同時押下するような操作とすることもできる。このようなユーザによる特定のキースイッチ操作が行われた場合（ステップＳ６００：ＹＥＳ）、塵埃除去処理サブルーチンを実行するためにステップＳ６１０へ移行する。一方、上述のようなユーザによる特定のキースイッチ操作が行われていない場合（ステップＳ６００：ＮＯ）、塵埃除去処理サブルーチンは行わず、ステップＳ６２０へ移行する。
【００６５】
ステップＳ６１０では、ファン制御部１１６および振動制御部１１８は、塵埃除去サブルーチンを実行する。塵埃除去処理サブルーチンは、図６に示したフローチャートと同様であるが、図７にて説明した間欠動作塵埃除去サブルーチンに置き換えることも可能である。次に、ファン制御部１１６は、吸気ファン１２０および排気ファン１３０の正回転動作を開始し（ステップＳ６２０）、筐体１内部の冷却を開始する。次に、制御部１１４は、プロジェクタ１００のランプを点灯する（ステップＳ６３０）。そして、制御部１１４は、待機状態から動作状態への遷移に伴う各種処理を実行し（ステップＳ６４０）、動作状態へ移行する。ここで、各種処理とは、プロジェクタ１００の主電源オン時に行う諸機能に関連した初期化処理等を示す。
【００６６】
上述した実施例３によれば、実施例１での効果（２）〜（４）と同様の効果を奏することができる。他に、以下の効果が得られる。
ユーザは、プロジェクタ１００のフィルタ１２１に塵埃が蓄積されたと判断したときに、当該実施例における特定のキースイッチ操作を行い、主電源をオンすることで、希望するときにフィルタ１２１の塵埃除去を行うことができる。また、塵埃除去処理を行う時点は、ファンの正回転動作開始の前であって、ランプ点灯の前でもある。よって、筐体１内部は冷却の必要がない状態であるため、吸気ファン１２０を逆回転動作しても、プロジェクタ１００の機能動作への影響はない。よって、塵埃除去処理を実行することが可能である。このように、主電源をオンする際に、ユーザの希望によって塵埃除去を行うことで、フィルタの目詰まりを抑えることができる。つまり、フィルタの清掃や交換の回数を減少させることができる。また、筐体１内部への空気の吸入効率を維持することができるため、吸気ファン１２０の正回転動作時の冷却能力の低下を抑制することができる。
【００６７】
（実施例４）図１０は、実施例４に係るプロジェクタが停止状態から待機状態へ遷移する際の処理のフローチャートである。本実施例では、プロジェクタ１００が停止状態から待機状態へ遷移するための操作は、ユーザによってＡＣアダプタをコンセントに差し込む（ＡＣ電源を供給する）操作としている。本実施例は、ＡＣアダプタがコンセントに差し込まれた際に、塵埃除去を行う場合の遷移処理を示す。図１０を使用して、プロジェクタ１００が停止状態から待機状態へ遷移する際の処理について説明する。
【００６８】
ファン制御部１１６および振動制御部１１８は、塵埃除去処理サブルーチンを実行する（ステップＳ７００）。塵埃除去処理サブルーチンは、図６に示したフローチャートと同様であるが、図７にて説明した間欠動作塵埃除去サブルーチンに置き換えることも可能である。次に、停止状態から待機状態への遷移に伴う各種処理を実行し（ステップＳ７１０）、待機状態へ移行する。ここで、各種処理とは、プロジェクタ１００の一部機能に関連した初期化処理等を示す。
【００６９】
上述した実施例４によれば、実施例１での効果（２）〜（４）と同様の効果を奏することができる。他に、以下の効果が得られる。
通常、ユーザがプロジェクタ１００のＡＣアダプタをコンセントに差し込んだ後、主電源をオン操作するまでには、ある程度の時間がある。ここでは、その時間を利用することで、フィルタ１２１の塵埃除去を行うことを可能としている。また、停止状態および待機状態では、筐体１内部は冷却の必要がない状態であるため、吸気ファン１２０を逆回転動作しても、プロジェクタ１００の機能動作への影響はない。よって、塵埃除去処理を実行することが可能である。このように、停止状態から待機状態へ遷移する毎に、塵埃除去を行うことで、フィルタの目詰まりを抑えることができる。つまり、フィルタの清掃や交換の回数を減少させることができる。また、筐体１内部への空気の吸入効率を維持することができるため、吸気ファン１２０の正回転動作時の冷却能力の低下を抑制することができる。
【００７０】
（第２の実施形態）
以下、図１１を用いて本発明の第２の実施形態について説明する。
【００７１】
図１１は、本発明の第２の実施形態に係る電子機器の機能構成を示す機能ブロック図である。ここで、本実施形態の電子機器２００とは、他の電子機器等とデータの送信または受信を行い、そのデータ処理を行う機器としている。図１１を使用して、電子機器２００の機能構成について説明する。
電子機器２００は、外部インターフェース部２１０と、データ処理部２１１と、表示部２１２と、操作部２４と、リモコン受光部２５と、操作受付部２１３と、制御部２１４と、タイマ部２１５と、ファン制御部２１６と、温度検出部２１７と、振動制御部２１８と、吸気ファン２２０と、フィルタ２２１と、フィルタ保持部材２２２と、振動素子２２３と、排気ファン２３０とを備えている。
【００７２】
次に、電子機器２００の動作を説明する。
外部インターフェース部２１０は、図示しない外部電子機器等とのデータの送受信を行う。送受信されたデータは、データ処理部２１１によって処理を行う。表示部２１２は、データに対応した情報表示や電子機器２００の状態表示等を行う。操作受付部２１３は、操作部２４またはリモコン受光部２５からユーザによる電子機器２００への機能操作指示を受け付ける。制御部２１４は、操作受付部２１３が受け付けた機能操作指示に対応した機能動作や、タイマ部２１５からの計時結果に対応した機能動作等を行い、電子機器２００を統括制御する。その他の制御内容としては、例えば、データ処理に関する制御や、表示部の制御、ファン制御等を行う。タイマ部２１５は、制御部２１４からの指示によって、様々な計時処理を行う。
【００７３】
ファン制御部２１６は、制御部２１４からの指示によって、ファン関連の制御を行う。ファン制御部２１６は、温度検出部２１７から温度情報を入力する。さらに、ファン制御部２１６は、タイマ部２１５からの計時情報および操作受付部２１３からの機能操作情報を、制御部２１４を介して入力する。ファン制御部２１６は、これらの情報を用いて、ファンの回転方向（正回転／逆回転）、回転開始動作、回転停止動作、回転数および回転時間等を制御する。そして、ファン制御部２１６は、これらのファン回転情報を振動制御部２１８に出力する。ファン制御部２１６が制御するファンは、吸気ファン２２０および排気ファン２３０である。吸気ファン２２０および排気ファン２３０は、それぞれ１つまたは複数存在し、個別に制御することが望ましい。
【００７４】
温度検出部２１７は、電子機器２００内の冷却することが必要な発熱部分等の温度を測定し、ファン制御部２１６へ出力する。振動制御部２１８は、ファン制御部２１６からのファン回転情報に基づいて、振動素子２２３の振動を制御する。振動の制御としては、振動の開始、振動の停止、振動の周波数および振幅等を制御する。ここで、制御部２１４とファン制御部２１６と振動制御部２１８とは、別の機能構成部としているが、回路構成としては１つのＣＰＵで構成するものとしてもよい。
【００７５】
吸気ファン２２０は、ファン制御部２１６によって制御されて動作する。フィルタ２２１は、フィルタ保持部材２２２によって保持されている。フィルタ２２１は、電子機器２００の筐体内部への塵埃の侵入を防ぐ。フィルタ保持部材２２２は、フィルタ２２１を保持し、振動素子２２３と連接されている。振動素子２２３は、振動制御部２１８によって制御される。振動素子２２３が振動することで、フィルタ保持部材２２２が振動し、さらに、フィルタ２２１が振動する。排気ファン２３０は、ファン制御部２１６によって制御されて動作する。
【００７６】
このような構成によって、電子機器２００は、データ処理を行いながら、吸気ファン２２０と排気ファン２３０を正回転動作することによって、電子機器の筐体内部の温度制御を行うことができる。また、吸気ファン２２０を逆回転動作し、振動素子２２３と連動させることによって、フィルタ２２１に付着した塵埃の除去を行うことができる。
【００７７】
ここで、電子機器２００の状態について説明する。電子機器２００は、動作状態、待機状態、停止状態の３つの状態を取り得る。動作状態とは、電子機器２００の装置全体に電源が供給されており、電子機器２００としての通常機能が動作している状態を示す。待機状態とは、電子機器２００の装置の一部分に電源が供給されているが、通常機能は動作しておらず、ユーザによる電子機器２００の機能操作指示を待ち、待機をしている状態を示す。また、停止状態とは、電子機器２００の装置に電源が供給されていない停止した状態を示す。なお、ここでは、停止状態と待機状態は、例えば、ＡＣアダプタ挿抜等によって状態が遷移するものとし、待機状態と動作状態は、主電源キースイッチオン／オフ等のユーザからの操作指示を受けて状態が遷移するものとしている。
【００７８】
電子機器２００は、このような３つの状態を取り得ることで、消費電力を抑えつつ、各種機能動作を実現することができる。また、各状態間で遷移する際に、第１の実施形態の実施例１〜４で記載したのとほぼ同様に塵埃除去処理を行うことが可能となる。
【００７９】
以上、本発明の第１の実施形態および第２の実施形態について説明したが、本発明はこうした実施形態に何ら限定されるものではなく、本発明の要旨を逸脱しない範囲において様々な形態で実施し得ることは勿論である。以下に変形例を述べる。
【００８０】
第１の実施形態においては、電子機器をプロジェクタとしたが、プロジェクタは、天井から吊り下げて使用する場合（以降、「天吊り」と呼ぶ）がある。天吊りの場合、プロジェクタ本体は１８０度反転して設置する。よって、投写する映像も１８０度反転する必要があるため、プロジェクタの機能の中に、映像を１８０度反転する天吊り設定機能が存在する。これに対し、天吊りではなく、机上等に通常に設置して使用する場合（以降、「据置」と呼ぶ）は、天吊り設定機能は解除し、据置設定にする。ここで、前述した天吊り設定機能が設定されたときは、実施例１〜４における吸気ファンの逆回転動作時間としての所定の時間を据置設定のときより長くするものとしてもよい。これにより、天吊り使用時の塵埃除去能力を向上することができる。天吊り使用時にはプロジェクタに塵埃が溜まりやすく、また、天井から吊り下げられているためフィルタの掃除や交換が困難であるため、塵埃除去能力を向上することは有効である。さらに、天吊り設定機能が設定されたときは、実施例１〜４の塵埃除去機能を実行可能とし、据置設定のときは、塵埃除去機能を実行しないものとしてもよい。
【図面の簡単な説明】
【００８１】
【図１】第１の実施形態に係るプロジェクタの概略斜視図。
【図２】プロジェクタの吸気口およびその内部を示す構成図、（ａ）は、吸気ファンを正回転動作した場合の吸気口およびその内部を示す構成図、（ｂ）は、吸気ファンを逆回転動作した場合の吸気口およびその内部を示す構成図。
【図３】プロジェクタの機能構成を示す機能ブロック図。
【図４】プロジェクタの状態遷移図。
【図５】実施例１に係るプロジェクタが動作状態から待機状態へ遷移する際の処理のフローチャート。
【図６】塵埃除去処理サブルーチンのフローチャート。
【図７】間欠動作塵埃除去処理サブルーチンのフローチャート。
【図８】実施例２に係るプロジェクタが動作状態から待機状態へ遷移する際の処理のフローチャート。
【図９】実施例３に係るプロジェクタが待機状態から動作状態へ遷移する際の処理のフローチャート。
【図１０】実施例４に係るプロジェクタが停止状態から待機状態へ遷移する際の処理のフローチャート。
【図１１】第２の実施形態に係る電子機器の機能構成を示す機能ブロック図。
【図１２】ファンの逆回転数と振動の周波数との関係図。
【図１３】ファンの逆回転数と振動の振幅との関係図。
【符号の説明】
【００８２】
１…筐体、２…吸気口、３…排気口、４…操作部、５…リモコン受光部、６…投写レンズ、７…報音穴、８…ＬＥＤ表示部、９…足、２４…操作部、２５…リモコン受光部、１００…プロジェクタ、１１０…映像入力部、１１１…映像信号処理部、１１２…映像投写部、１１３…操作受付部、１１４…制御部、１１５…タイマ部、１１６…ファン制御部、１１７…温度検出部、１１８…振動制御部、１２０…吸気ファン、１２１…フィルタ、１２２…フィルタ保持部材、１２３…振動素子、１３０…排気ファン、２００…電子機器、２１０…外部インターフェース部、２１１…データ処理部、２１２…表示部、２１３…操作受付部、２１４…制御部、２１５…タイマ部、２１６…ファン制御部、２１７…温度検出部、２１８…振動制御部、２２０…吸気ファン、２２１…フィルタ、２２２…フィルタ保持部材、２２３…振動素子、２３０…排気ファン。
【図１】
2008060108.tif 000003
【図２】
2008060108.tif 000004
【図３】
2008060108.tif 000005
【図４】
2008060108.tif 000006
【図５】
2008060108.tif 000007
【図６】
2008060108.tif 000008
【図７】
2008060108.tif 000009
【図８】
2008060108.tif 000010
【図９】
2008060108.tif 000011
【図１０】
2008060108.tif 000012
【図１１】
2008060108.tif 000013
【図１２】
2008060108.tif 000014
【図１３】
2008060108.tif 000015